(57)【要約】      （修正有）【課題】かかったネズミが悲鳴を上げ続けることがなく、捕獲できる落下型ネズミ捕り器を提供する。【解決手段】捕獲容器１と、登り通路２と、横通路３と、エサ箱４と、遮蔽版８と、で構成されたネズミ捕り器であり、横通路は、捕獲容器の上部開口部に架橋状に設置され、横通路の片端に登り通路が接続され、他の片端にエサ箱が接続され、横通路に、遮蔽版が備えられている。遮蔽板にさえぎられたネズミは捕獲容器の下のもみがら５に飛び移り、もみがらに足が埋まり上に飛び上がることはできず、悲鳴を出すことなく動き回る。容器の下に水６や発泡スチロールの細粒７があれば溺れた状態になり次々と捕れる。【選択図】図１
0003231725.tif 000002
【実用新案登録請求の範囲】
【請求項１】
ネズミが登り通路２より入り、横通路３を通り、前方の
エサ箱４に向かう途中、横の電極９又は針ピン１０に
驚いて捕獲容器１に落ちる、下にある水６に落ち込むと
溺れた状態になり、悲鳴は出せない、
このことで何匹も続けて捕れることになり、従来の
粘着型のようにつきっきりで一匹づつ取り去る必要が
なくなる、このような特徴を有する落下型ネズミ捕り器。
【請求項２】
ネズミが登り通路２より入り、横通路３を通り、前方の
エサ箱４に向かう途中、横の電極９又は針ピン１０に
驚いて捕獲容器１に落ちる、下にある発泡スチロールの
細粒に落ち込むと、溺れた状態になり、悲鳴は出せない、
このことで何匹も続けて捕れることになり、従来の
粘着型のようにつきっきりで一匹づつ取り去る必要が
なくなる、このような特徴を有する落下型ネズミ捕り器。
【請求項３】
ネズミが登り通路２より入り、横通路３を通り、前方の
エサ箱４に向かう途中、遮蔽板８にはばまれ、捕獲容器１
のもみがら５に飛び込む、このもみがら５でネズミの
足がもぐり、上に飛びつくことはできず、もみがら５の
上を歩きまわるのみで悲鳴は出さない、
このことで何匹も続けて捕れることになり、従来の
粘着型のようにつきっきりで一匹づつ取り去る必要が
なくなる、このような特徴を有する落下型ネズミ捕り器。
【考案の詳細な説明】
【技術分野】
【０００１】
本考案は屋内と屋外で使用する落下型ネズミ捕り器に関する
ものである
【背景技術】
【０００２】
従来のネズミ捕り器は粘着型・ワナ型が主流で、かかった
ネズミが悲鳴を上げ続け、後が捕れない欠点があった。
【先行技術文献】
【特許文献】
【０００３】
【特許文献１】特開昭61-247329号公報
【考案の概要】
【考案が解決しようとする課題】
【０００４】
従来のネズミ捕り器は粘着型・ワナ型が主流で、かかった
ネズミが悲鳴を上げ続け、後が捕れない欠点があった。
この欠点を解決しようとするものである。
【課題を解決するための手段】
【０００５】
捕獲容器１と登り通路２と横通路３とエサ箱４があり、
捕獲箱１には用途によってもみがら５又は水６又は
発泡スチロールの細粒７を入れ、横通路３には遮蔽板８
又は電極９又は針ピン１０を設ける。
【考案の効果】
【０００６】
登り通路２を設けることで屋内を広く行動する家ネズミ
も下水道を主に行動するドブネズミも両方とも入り安く
した。
【０００７】
横通路３の遮蔽板８にさえぎられたネズミは下の
（例えば２０センチ）のもみがら５に飛び移る、
ネズミにとっては気軽に飛び移れる状況ではあるが
入ると足が埋まり、上に飛びつくことはできない、
しかも粘着型やワナ型と異なり悲鳴を出すことなく
動き回る。
【０００８】
横通路３の電極９又は針ピン１０により、ネズミが
驚いて落下する時、離れた下（例えば２０センチ）に
水６があれば溺れて声は出ず、次々と捕れる、
このタイプは水６を問題視しない調理場等には効果が
期待される。
【０００９】
横通路３の電極９又は針ピン１０により、ネズミが
驚いて落下すれば下に（例えば２０センチ）に
発泡スチロールの細粒７があれば、溺れた状態に
なり悲鳴を出すこともなく、次々と捕れる、
このタイプは水を嫌う穀物類の倉庫等には効果が
期待される。
【図面の簡単な説明】
【００１０】
【図１】本考案・落下型ネズミ捕り器を横から見た全体図である。
【図２】本考案・落下型ネズミ捕り器の登り通路２の平面図である。
【図３】本考案・落下型ネズミ捕り器の登り通路２をA・Bで切った断面図である。
【図４】本考案・落下型ネズミ捕り器の横通路３の平面図である。
【図５】本考案・落下型ネズミ捕り器の横通路３をC・Dで切り、斜め上から見た拡大図である。
【図６】本考案・落下型ネズミ捕り器の横通路３の上に乗る遮蔽板８の平面図である。
【考案を実施するための形態】
【００１１】
登り通路２よりネズミが入り、横通路３に来た時、
電極９（電極９には常用燈黄１１と接触燈赤１２
が接続される）又は針ピン１０により下の水６
又は発泡スチロールの細粒７の中に落ち込む。
【００１２】
登り通路２よりネズミが入り、横通路３に来た時、
遮蔽板８に妨げられ、すぐ下のもみがら５に
飛び移る。
【実施例】
【００１３】
以下添付図面に従って実施例を説明する
【００１４】
登り通路２よりネズミが入り、横通路３を
通り、エサ箱４に向かう。
【００１５】
横道３のと中の電極９や針ピン１０に驚いて、
捕獲容器１に落ちる、中に水６があり、
ネズミは溺れる状態で悲鳴は出ない、
これにより次々と捕獲でき、
水を使う調理場等に期待できる。
【００１６】
横道３のと中の電極９や針ピン１０に驚いて、
捕獲容器１に落ちる、中に発泡スチロールの細粒７
があり、ネズミは溺れる状態で悲鳴は出ない、
これにより次々と捕獲でき、
穀物類の倉庫など乾燥した場所に期待できる。
【００１７】
横道３のと中の遮蔽板８に行く先をさえぎられ、
すぐ下に見えるもみがら５に飛び移る、
このもみがら５に足をとられ、
上の横通路３には飛びつけない、
ネズミは溺れる状態ではないが悲鳴は出さず
歩き回るだけである、
野ネズミや穀類の倉庫に期待できる。
【符号の説明】
【００１８】
１捕獲容器
２登り通路
３横通路
４エサ箱
５もみがら
６水
７発泡スチロールの細粒
８遮蔽板
９電極
１０針ピン
１１常備灯（黄）
１２接触灯（赤）
【図１】
0003231725.tif 000003
【図２】
0003231725.tif 000004
【図３】
0003231725.tif 000005
【図４】
0003231725.tif 000006
【図５】
0003231725.tif 000007
【図６】
0003231725.tif 000008
【手続補正書】
【提出日】令和3年1月4日(2021.1.4)
【手続補正１】
【補正対象書類名】実用新案登録請求の範囲
【補正対象項目名】全文
【補正方法】変更
【補正の内容】
【実用新案登録請求の範囲】
【請求項１】
捕獲容器（１）と、登り通路（２）と、横通路（３）と、エサ箱（４）と、遮蔽版（８）と、で構成されたネズミ捕り器であり、
前期横通路（３）は、前記捕獲容器（１）の上部開口部に架橋状に設置されており、
前期横通路（３）の片端には前記登り通路（２）が接続されており、
他の片端にはエサ箱（４）が接続されており、
前期横通路（３）には、遮蔽版（８）が備えられていることを特徴とする落下型ネズミ捕り器。
【請求項２】
捕獲容器（１）と、登り通路（２）と、横通路（３）と、エサ箱（４）と、電極（９）又は、針ピン（１０）とで構成されたネズミ捕り器であり、
前期横通路（３）は、前記捕獲容器（１）の上部開口部に架橋状に設置されており、
前期横通路（３）の片端には前記登り通路（２）が接続されており、
他の片端にはエサ箱（４）が接続されており、
前期横通路（３）には、電極（９）又は、針ピン（１０）が備えられていることを特徴とする落下型ネズミ捕り器。

【請求項３】
前記捕獲容器（１）中にもみがら（５）、若しくは水（６）又は発泡スチロールの細粒（７）が具備されていることを特徴とする請求項１又は請求項２記載の落下型ネズミ捕り器。
【手続補正書】
【提出日】令和3年2月18日(2021.2.18)
【手続補正１】
【補正対象書類名】実用新案登録請求の範囲
【補正対象項目名】全文
【補正方法】変更
【補正の内容】
【実用新案登録請求の範囲】
【請求項１】
捕獲容器（１）と、登り通路（２）と、横通路（３）と、エサ箱（４）と、遮蔽版（８）と、で構成されたネズミ捕り器であり、
前記横通路（３）は、前記捕獲容器（１）の上部開口部に架橋状に設置されており、
前記横通路（３）の片端には前記登り通路（２）が接続されており、
他の片端にはエサ箱（４）が接続されており、
前記横通路（３）には、遮蔽版（８）が備えられていることを特徴とする落下型ネズミ捕り器。
【請求項２】
捕獲容器（１）と、登り通路（２）と、横通路（３）と、エサ箱（４）と、電極（９）又は、針ピン（１０）とで構成されたネズミ捕り器であり、
前記横通路（３）は、前記捕獲容器（１）の上部開口部に架橋状に設置されており、
前記横通路（３）の片端には前記登り通路（２）が接続されており、
他の片端にはエサ箱（４）が接続されており、
前記横通路（３）には、電極（９）又は、針ピン（１０）が備えられていることを特徴とする落下型ネズミ捕り器。
前記捕獲容器（１）中にもみがら（５）、若しくは水（６）又は発泡スチロールの細粒（７）が具備されていることを特徴とする請求項１又は請求項２記載の落下型ネズミ捕り器。
【手続補正書】
【提出日】令和3年2月18日(2021.2.18)
【手続補正１】
【補正対象書類名】実用新案登録請求の範囲
【補正対象項目名】全文
【補正方法】変更
【補正の内容】
【実用新案登録請求の範囲】
【請求項１】
捕獲容器（１）と、登り通路（２）と、横通路（３）と、エサ箱（４）と、遮蔽版（８）と、で構成されたネズミ捕り器であり、
前記横通路（３）は、前記捕獲容器（１）の上部開口部に架橋状に設置されており、
前記横通路（３）の片端には前記登り通路（２）が接続されており、
他の片端にはエサ箱（４）が接続されており、
前記横通路（３）には、遮蔽版（８）が備えられていることを特徴とする落下型ネズミ捕り器。
【請求項２】
捕獲容器（１）と、登り通路（２）と、横通路（３）と、エサ箱（４）と、電極（９）又は、針ピン（１０）とで構成されたネズミ捕り器であり、
前記横通路（３）は、前記捕獲容器（１）の上部開口部に架橋状に設置されており、
前記横通路（３）の片端には前記登り通路（２）が接続されており、
他の片端にはエサ箱（４）が接続されており、
前記横通路（３）には、電極（９）又は、針ピン（１０）が備えられていることを特徴とする落下型ネズミ捕り器。
【請求項３】
前記捕獲容器（１）中にもみがら（５）、若しくは水（６）又は発泡スチロールの細粒（７）が具備されていることを特徴とする請求項１又は請求項２記載の落下型ネズミ捕り器。